(57)【要約】【課題】  それに取り付けられた光源が電池を使用することなく発光するようにするとともに、着用者に運動を促すことができる自発発光式の夜行たすきを提供する。【解決手段】  夜間における視認性を高めるために着用される夜行たすき１０を、着用者の身体に掛け回すための帯状部材１１と、帯状部材１１の外面に取り付けられた１つ又は複数の光源１２と、着用者の身体動作から電力を発生させるための電力発生手段１３とを備えたものとして、電力発生手段１３が発生した電力によって光源１２を発光させるようにした。【選択図】図２
0003202539.tif 000002
【実用新案登録請求の範囲】
【請求項１】
夜間における視認性を高めるために着用される夜行たすきであって、
着用者の身体に掛け回すための帯状部材と、
帯状部材の外面に取り付けられた１つ又は複数の光源と、
着用者の身体動作から電力を発生させるための電力発生手段と、
を備え、
電力発生手段が発生した電力によって光源を発光させるようにしたことを特徴とする夜行たすき。
【請求項２】
電力発生手段が、
指で押し込むための押し込み部材を有するグリップ部と、
押し込み部材が押し込まれる力を電力に変換する電力発生部と、
を備え、
着用者がグリップ部を握って押し込み部材が押し込まれることによって光源が発光するようにした
請求項１記載の夜行たすき。
【請求項３】
グリップ部の前側にも光源が取り付けられ、
帯状部材に取り付けられた光源と、グリップ部に取り付けられた光源との双方が、電力発生手段が発生した電力によって発光するようにした
請求項２記載の夜行たすき。
【請求項４】
光源が発光ダイオードである請求項１〜３いずれか記載の夜行たすき。
【考案の詳細な説明】
【技術分野】
【０００１】
本考案は、夜間における歩行時等に身体に着用することで、自動車のドライバー等の他者からの着用者の視認性を高め、着用者の安全性を高めることのできる夜行たすきに関する。
【背景技術】
【０００２】
夜間における歩行者やランナーが着用する夜行たすきとしては、その外周面に反射材が設けられたもの（以下、「反射式の夜行たすき」と呼ぶことがある。）が知られている。反射式の夜行たすきは、その反射材で、自動車等の車両のヘッドライトの光や、他の歩行者が携帯する懐中電灯の光を反射することで発光して、夜行たすきの着用者が他者から目立つようにし、着用者の安全性を高めるものとなっている。しかし、反射式の夜行たすきは、ヘッドライトや懐中電灯の照射範囲に着用者がいなければ発光しないし、そもそも、相手の車両等が無灯火の場合には、着用者の視認性の向上に殆ど寄与しない。このため、反射式の夜行たすきは、必ずしも、着用者の視認性を高めることができるものとはなっていなかった。
【０００３】
このような実情に鑑みて、これまでには、自発的に発光する光源を取り付けた夜行たすき（以下、「自発発光式の夜行たすき」と呼ぶことがある。）も提案されている（例えば、特許文献１〜４を参照。）。これにより、ヘッドライトや懐中電灯の照射範囲に着用者がいない場合や、相手の車両等が無灯火である場合であっても、着用者が目立つようにすることが可能となる。しかし、従来の自発発光式の夜行たすきは、電池によって光源を発光させるものとなっていた。このため、従来の自発発光式の夜行たすきは、電池が切れた場合には、使用することができなかった。また、従来の反射式の夜行たすきや自発発光式の夜行たすきは、専ら着用者の視認性を向上させることのみを意識して開発されたものであった。このため、従来の反射式の夜行たすきや自発発光式の夜行たすきでは、着用者に運動を促すような効果が得られなかった。
【先行技術文献】
【特許文献】
【０００４】
【特許文献１】実開平０７−００１４８３号公報
【特許文献２】実登第３０３４７７９号公報
【特許文献３】特開２００１−１５９０１６号公報
【特許文献４】実登第３１７７９９９号公報
【考案の概要】
【考案が解決しようとする課題】
【０００５】
本考案は、上記課題を解決するためになされたものであり、それに取り付けられた光源が電池を使用することなく発光するようにした自発発光式の夜行たすきを提供するものである。また、着用者に運動を促すことができ、着用者の健康増進に寄与することができるようにした自発発光式の夜行たすきを提供することも本考案の目的である。
【課題を解決するための手段】
【０００６】
上記課題は、
夜間における視認性を高めるために着用される夜行たすきであって、
着用者の身体に掛け回すための帯状部材と、
帯状部材の外面に取り付けられた１つ又は複数の光源と、
着用者の身体動作から電力を発生させるための電力発生手段（発電機）と、
を備え、
電力発生手段が発生した電力によって光源を発光させるようにしたことを特徴とする夜行たすき
を提供することによって解決される。
【０００７】
本考案の夜行たすきは、その電力発生手段が発生した電力によって光源が発光するものであるため、電池を使用する必要がないものとなっている。このため、本考案の夜行たすきは、電池を交換する必要がないだけでなく、省電力や廃棄物削減の観点等から地球環境に優しいものとなっている。加えて、本考案の夜行たすきは、光源を発光させる電力を、着用者の身体動作から得るようにしている。このため、本考案の夜行たすきは、着用者に身体動作を促し、着用者の健康増進に寄与することができるものとなっている。
【０００８】
本考案の夜行たすきにおいて、電力発生手段は、着用者の身体動作から電力を発生させるものであれば、特に限定されない。例えば、着用者の脚の動作（脚を前後させたり、上下させたりする動作）から電力を発生するようにしてもよいし、着用者の腕の動作（腕を前後させたり、上下させたりする動作）から電力を発生するようにしてもよい。しかし、着用者の脚や腕の動作から発電するようにする機構を夜行たすきに組み込もうとすると、電力発生手段の組み込み方が難しくなる。このため、電力発生手段は、着用者の手の動作（手を握ったり開いたりする動作）から電力を発生するようにすると好ましい。具体的には、以下の構成を採用すると好ましい。
【０００９】
すなわち、
電力発生手段を、
指で押し込むための押し込み部材を有するグリップ部と、
押し込み部材が押し込まれる力を電力に変換する電力発生部と、
を備えたものとして、
着用者がグリップ部を握って押し込み部材が押し込まれることによって光源が発光するようにすると好ましい。
これにより、電力発生手段は、そのグリップ部を手で握ることができる仕様にすればよく、電力発生手段を夜行たすきに容易に組み込むことができる。加えて、着用者に手の運動を促すことも可能になる。
【００１０】
本考案の夜行たすきにおいて、電力発生手段は、帯状部材に取り付けられた光源のみに電力を供給するものであってもよいが、当該光源以外の他の部材に電力を供給するようにすることも好ましい。例えば、グリップ部の前側にも光源が取り付けられ、帯状部材（夜行たすきの本体）に取り付けられた光源（以下において、「本体側光源」と呼ぶことがある。）と、グリップ部に取り付けられた光源（以下において、「発電機側光源」と呼ぶことがある。）との双方が、電力発生手段が発生した電力によって発光するようにすると好ましい。これにより、着用者は、発電機側光源を任意の箇所に向けることにより、当該箇所を明るく照らすこと（グリップ部を懐中電灯として使用すること）が可能になるとともに、発電機側光源も電池を使用することなく発光させることも可能になる。
【００１１】
本考案の夜行たすきにおいて、本体側光源や発電機側光源は、電球を用いてもよいが、発光ダイオードを用いると好ましい。これにより、本体側光源や発電機側光源を長寿命かつ省電力のものとすることが可能になる。
【考案の効果】
【００１２】
以上のように、本考案によって、それに取り付けられた光源が電池を使用することなく発光するようにした自発発光式の夜行たすきを提供することが可能になる。また、着用者に運動を促すことができ、着用者の健康増進に寄与することができるようにした自発発光式の夜行たすきを提供することも可能になる。
【図面の簡単な説明】
【００１３】
【図１】本考案に係る夜行たすきを示した斜視図である。
【図２】本考案に係る夜行たすきを着用して歩行している様子を示した図である。
【考案を実施するための形態】
【００１４】
１．夜行たすきの概要
本考案に係る夜行たすきの好適な実施態様について、図面を用いてより具体的に説明する。図１は、本考案に係る夜行たすき１０を示した斜視図である。図２は、本考案に係る夜行たすき１０を着用して歩行している様子を示した図である。本考案の夜行たすき１０は、夜間における視認性を高めるために着用するものとなっている。本実施態様において、夜行たすき１０は、図１に示すように、帯状部材１１と、本体側光源１２と、電力発生手段１３と、ケーブル１４とを備えたものとなっている。
【００１５】
２．帯状部材
帯状部材１１は、図２に示すように、着用者２０の身体に掛け回すためのものとなっている。本実施態様において、帯状部材１１は、着用者２０の片方の肩付近から他方の腰付近にかけて掛け回すことができる長さに調整された環状に形成されている。但し、帯状部材１１は、無端環状である必要はなく、両端部を有する１本の帯状部材１１を環状にして、帯状部材１１の両端部を重ね合わせ、その重ね合わせた両端部を面ファスナー等で固着する構造としてもよい。これにより、帯状部材１１の両端部を固着する箇所を変更することによって、帯状部材１１の長さを調節することが可能になり、夜行たすき１０を、着用者２０の体格にかかわらず着用できるものとすることも可能になる。
【００１６】
また、本実施態様においては、帯状部材１１を、その外面を形成する外層と、その内面を形成する内層とで構成している。帯状部材１１における外層表面（図１及び図２において網掛けハッチングで示した部分）は、光を反射することができる光反射シートで形成している。本考案の夜行たすきは、後述するように、本体側光源１２によって、着用者２０の視認性を高めることができるが、このように、帯状部材１１の外面を、光を反射する素材で形成することによって、さらに、着用者２０の視認性を高め、着用者２０の安全性を高めることができる。一方、帯状部材１１における内層は、少なくともその内面（着用者２０に接触する側の面）が粗面化された素材で形成すると好ましい。これにより、帯状部材１１を、着用者２０の身体や衣服に対して滑りにくくすることが可能になる。
【００１７】
３．本体側光源
本体側光源１２は、後述する電力発生手段１３の電力発生部が発生した電力によって発光するようになっている。本体側光源１２は、図１に示すように、夜行たすき１０の本体（帯状部材１１）の外面に取り付けられている。本実施態様においては、複数の本体側光源１２を、帯状部材１１の周回方向に所定間隔を隔てて取り付けている。これにより、他者が着用者２０を見る向きにかかわらず、いずれかの本体側光源１２が他者の目に入るようにすることができる。したがって、着用者２０の安全性をより高めることが可能になる。それぞれの本体側光源１２に電力を供給する配線は、帯状部材１１の内面に設けてもよいが、本実施態様においては、帯状部材１１の外層と内層との間に挟み込んでおり、当該配線が外部から目立たないようにしている。また、本体側光源１２は、電球を用いてもよいが、本実施態様においては、消費電力と寿命を考慮して、本体側光源１２として発光ダイオードを用いている。
【００１８】
４．電力発生手段（発電機）
電力発生手段１３は、着用者２０の身体動作から電力を発生させるためのものとなっている。電力発生手段１３は、斯様な機能を有するものであれば、その種類を特に限定されない。本実施態様において、電力発生手段１３は、着用者２０の手の動作から電力を発生できるものとしている。具体的には、図１に示すように、電力発生手段１３を、指で押し込むための押し込み部材１３ａ１を有するグリップ部１３ａを有するものとしている。グリップ部１３ａの内部には、押し込み部材１３ａ１が押し込まれる力を電力に変換する電力発生部（図示省略）が収容されている。電力発生部は、各種の発電機を用いることができるが、本実施態様においては、整流子発電機（いわゆるダイナモ）を用いている。
【００１９】
また、本実施態様においては、電力発生手段１３におけるグリップ部１３ａの前側に、発電機側光源１３ｂを取り付けている。この発電機側光源１３ｂも、上記の本体側光源１２と同様、電力発生手段１３の電力発生部が発生した電力によって発光するようになっている。このため、グリップ部１３ａの前側（発電機側光源１３ｂが設けられた側）を向けた箇所を明るく照らすことが可能となっている。したがって、街灯のない暗い箇所でも、足元を照らしながら、安全に歩行等することが可能となっている。発電機側光源１３ｂは、複数取り付けてもよいが、本実施態様においては、１つのみとしている。発電機側光源１３ｂは、電球を用いてもよいが、本実施態様においては、本体側光源１２と同様の理由で、発電機側光源１３ｂとして発光ダイオードを用いている。
【００２０】
５．ケーブル
ケーブル１４は、図１に示すように、電力発生手段１３と帯状部材１１とを結ぶように設けられる。ケーブル１４における電力発生手段１３側の端部は、電力発生手段１３における電力発生部に接続され、ケーブル１４における帯状部材１１側の端部は、本体側光源１２に電力を供給する配線に接続される。このため、電力発生手段１３の電力発生部で発生した電力が、本体側光源１２へと供給されるようになっている。ケーブル１４は、従来用いられている各種の電力ケーブルを用いることができる。
【００２１】
６．まとめ
本実施態様の夜行たすき１０は、歩行等する際に、電力発生手段１３におけるグリップ部１３ａの押し込み部材１３ａ１を押し込むことによって、本体側光源１２と発電機側光源１３ｂとが発光するものとなっている。このため、歩行しながら手の運動を行うことも可能となっている。加えて、本体側光源１２と発電機側光源１３ｂは、電力発生手段１３における電力発生部が発生した電力によって発光するようになっている。本実施態様の夜行たすき１０は、電池を使用しないので、電池を交換する必要がないだけでなく、省電力や廃棄物削減の観点等から地球環境に優しいものとなっている。
【符号の説明】
【００２２】
１０      夜行たすき
１１      帯状部材
１２      本体側光源（光源）
１３      電力発生手段（発電機）
１３ａ    グリップ部
１３ａ１  押し込み部材
１３ｂ    発電機側光源（光源）
１４      ケーブル
２０      着用者
【図１】
0003202539.tif 000003
【図２】
0003202539.tif 000004